(57)【要約】【課題】ゲームをプレイするモチベーションを高める。【解決手段】プレイヤの所持コンテンツを記憶する記憶手段４０と、所持コンテンツのうち、進化が可能な進化可能コンテンツを抽出する抽出手段４４と、プレイヤが選択可能なゲーム種目であって、進化可能コンテンツの進化に関連するゲーム種目を特定する特定手段４６と、プレイヤからプレイするゲーム種目の選択を受け付ける選択画面を出力する制御手段４２と、を備え、制御手段４２は、選択画面において、特定されたゲーム種目を他のゲーム種目とは異なる形態で出力する。【選択図】図３
2020116388.tif 000002
【特許請求の範囲】
【請求項１】
プレイヤが所持する所持コンテンツを記憶する記憶手段と、
前記所持コンテンツのうち、進化が可能な進化可能コンテンツを抽出する抽出手段と、
前記プレイヤが選択可能なゲーム種目であって、前記進化可能コンテンツの進化に関連するゲーム種目を特定する特定手段と、
前記プレイヤがプレイするゲーム種目の選択を受け付けるための選択画面を出力する制御手段と、
を備え、
前記制御手段は、前記選択画面において、前記特定されたゲーム種目を他のゲーム種目とは異なる形態で出力する、
情報処理装置。
【請求項２】
前記制御手段は、前記選択画面において、前記特定されたゲーム種目が前記進化可能コンテンツの進化に関連することを出力する、
請求項１に記載の情報処理装置。
【請求項３】
前記制御手段は、前記プレイヤからの前記進化可能コンテンツに対する指示に応じて、当該プレイヤが進化を希望する前記進化可能コンテンツを予め登録し、
前記抽出手段は、前記登録された前記進化可能コンテンツを抽出する、
請求項１又は２に記載の情報処理装置。
【請求項４】
前記抽出手段は、前記所持コンテンツのうち、ゲームの更新によって新たに進化が可能となった進化可能コンテンツを抽出する、
請求項１又は２に記載の情報処理装置。
【請求項５】
前記特定手段は、前記進化可能コンテンツの進化に関連するゲーム種目として、前記進化可能コンテンツに関連付けされた素材コンテンツのうち、前記所持コンテンツにおいて不足している素材コンテンツが獲得できるゲーム種目を特定する、
請求項１乃至４のいずれか１項に記載の情報処理装置。
【請求項６】
前記特定手段は、前記進化可能コンテンツの進化に関連するゲーム種目として、クリアすることに応じて当該進化可能コンテンツの進化が可能となるクエストよりも下位のクエストであって、前記プレイヤが未だクリアしていないクエストを特定する、
請求項１乃至５のいずれか１項に記載の情報処理装置。
【請求項７】
前記特定手段は、前記進化可能コンテンツの進化に関連するゲーム種目として、プレイすることに応じて当該進化可能コンテンツの進化が可能となる抽選ゲームよりも下位の抽選ゲームであって、前記プレイヤが未だプレイしていない抽選ゲームを特定する、
請求項１乃至５のいずれか１項に記載の情報処理装置。
【請求項８】
コンピュータを、
プレイヤが所持する所持コンテンツを記憶する記憶手段、
前記所持コンテンツのうち、進化が可能な進化可能コンテンツを抽出する抽出手段、
前記プレイヤが選択可能なゲーム種目であって、前記進化可能コンテンツの進化に関連するゲーム種目を特定する特定手段、
前記プレイヤがプレイするゲーム種目の選択を受け付けるための選択画面を出力する制御手段、
として機能させ、
前記制御手段は、前記選択画面において、前記特定されたゲーム種目を他のゲーム種目とは異なる形態で出力する、
プログラム。
【発明の詳細な説明】
【技術分野】
【０００１】
本発明は、情報処理装置及びプログラムに関する。
【０００２】
従来から、プレイヤに対して抽選ゲーム（所謂ガチャ）や対戦ゲーム（所謂クエスト）等のゲーム種目を実行させるゲームが知られている。
【０００３】
これに関し、特許文献１には、ゲーム内に設定された複数のクエストのうち、プレイヤによって選択された一のクエストを当該プレイヤに実行させる技術が開示されている。
【先行技術文献】
【特許文献】
【０００４】
【特許文献１】特許第６１６０８８９号公報
【発明の概要】
【発明が解決しようとする課題】
【０００５】
このようなゲームでは、プレイヤは、プレイするゲーム種目を複数のゲーム種目から選択することができる。しかしながら、プレイヤは、例えば選択可能なゲーム種目の数が多い場合や、選択可能なゲーム種目を全てプレイしたことがある場合、どのゲーム種目をプレイすべきか迷うことがあった。これにより、プレイヤは、ゲーム種目を十分にプレイせずにゲームを終了してしまうという問題があった。
【０００６】
本発明はこのような課題に鑑みてなされたものであり、その目的は、ゲームをプレイするモチベーションを高めることができる情報処理装置及びプログラムを提供することにある。
【課題を解決するための手段】
【０００７】
上記課題を解決するために、本発明の第一態様に係る情報処理装置は、プレイヤが所持する所持コンテンツを記憶する記憶手段と、前記所持コンテンツのうち、進化が可能な進化可能コンテンツを抽出する抽出手段と、前記プレイヤが選択可能なゲーム種目であって、前記進化可能コンテンツの進化に関連するゲーム種目を特定する特定手段と、前記プレイヤがプレイするゲーム種目の選択を受け付けるための選択画面を出力する制御手段と、を備え、前記制御手段は、前記選択画面において、前記特定されたゲーム種目を他のゲーム種目とは異なる形態で出力する。
【０００８】
また、本発明の第二態様に係る情報処理装置では、前記制御手段は、前記選択画面において、前記特定されたゲーム種目が前記進化可能コンテンツの進化に関連することを出力する。
【０００９】
また、本発明の第三態様に係る情報処理装置では、前記制御手段は、前記プレイヤからの前記進化可能コンテンツに対する指示に応じて、当該プレイヤが進化を希望する前記進化可能コンテンツを予め登録し、前記抽出手段は、前記登録された前記進化可能コンテンツを抽出する。
【００１０】
また、本発明の第四態様に係る情報処理装置では、前記抽出手段は、前記所持コンテンツのうち、ゲームの更新によって新たに進化が可能となった進化可能コンテンツを抽出する。
【００１１】
また、本発明の第五態様に係る情報処理装置では、前記特定手段は、前記進化可能コンテンツの進化に関連するゲーム種目として、前記進化可能コンテンツに関連付けされた素材コンテンツのうち、前記所持コンテンツにおいて不足している素材コンテンツが獲得できるゲーム種目を特定する。
【００１２】
また、本発明の第六態様に係る情報処理装置では、前記特定手段は、前記進化可能コンテンツの進化に関連するゲーム種目として、クリアすることに応じて当該進化可能コンテンツの進化が可能となるクエストよりも下位のクエストであって、前記プレイヤが未だクリアしていないクエストを特定する。
【００１３】
また、本発明の第七態様に係る情報処理装置では、前記特定手段は、前記進化可能コンテンツの進化に関連するゲーム種目として、プレイすることに応じて当該進化可能コンテンツの進化が可能となる抽選ゲームよりも下位の抽選ゲームであって、前記プレイヤが未だプレイしていない抽選ゲームを特定する。
【００１４】
また、本発明の第八態様に係るプログラムは、コンピュータを、プレイヤが所持する所持コンテンツを記憶する記憶手段、前記所持コンテンツのうち、進化が可能な進化可能コンテンツを抽出する抽出手段、前記プレイヤが選択可能なゲーム種目であって、前記進化可能コンテンツの進化に関連するゲーム種目を特定する特定手段、前記プレイヤがプレイするゲーム種目の選択を受け付けるための選択画面を出力する制御手段、として機能させ、前記制御手段は、前記選択画面において、前記特定されたゲーム種目を他のゲーム種目とは異なる形態で出力する。
【発明の効果】
【００１５】
本発明によれば、ゲームをプレイするモチベーションを高めることができる。
【図面の簡単な説明】
【００１６】
【図１】本実施形態に係る情報処理装置（コンピュータ）を含むゲームシステムの全体構成の一例を示すブロック図である。
【図２】サーバ装置のハードウェア構成の一例を概略的に示す図である。
【図３】サーバ装置の機能手段の一例を概略的に示すブロック図である。
【図４】クエスト選択画面の出力に係る処理の流れの一例（具体例１）を示すフローチャートである。
【図５】クエスト選択画面の一例を示す図である。
【図６】進化に直接的に関連するクエストのクエスト実行選択画面の一例を示す図である。
【図７】進化に間接的に関連するクエストのクエスト実行選択画面の一例を示す図である。
【図８】進化に関連しないクエストのクエスト実行選択画面の一例を示す図である。
【図９】抽選ゲーム選択画面の出力に係る処理の流れの一例（具体例２）を示すフローチャートである。
【図１０】抽選ゲーム選択画面の一例を示す図である。
【図１１】進化に直接的に関連する抽選ゲームの抽選ゲーム実行選択画面の一例を示す図である。
【図１２】進化に間接的に関連する抽選ゲームの抽選ゲーム実行選択画面の一例を示す図である。
【図１３】進化に関連しない抽選ゲームの抽選ゲーム実行選択画面の一例を示す図である。
【発明を実施するための形態】
【００１７】
以下、添付図面を参照しながら本発明の実施形態（以下、「本実施形態」と称す。）について説明する。説明の理解を容易にするため、各図面において同一の構成要素及びステップに対しては可能な限り同一の符号を付して、重複する説明は省略する。
【００１８】
＜全体構成＞
図１は、本実施形態に係る情報処理装置（コンピュータ）を含むゲームシステム１の全体構成の一例を示すブロック図である。
【００１９】
図１に示すように、ゲームシステム１は、一又は複数のプレイヤにゲームを提供するシステムである。ゲームシステム１は、本実施形態に係る情報処理装置としてのサーバ装置１０と、一又は複数の端末装置１２と、を備える。これらサーバ装置１０と端末装置１２は、イントラネットやインターネット等の通信ネットワークＮＴを介して互いに通信可能に接続されている。
【００２０】
サーバ装置１０は、ゲームプログラム１４を実行して得られるゲーム、又はゲームプログラム１４そのものを、通信ネットワークＮＴを介して各端末装置１２に提供する情報処理装置である。本実施形態では、サーバ装置１０は、ゲームプログラム１４を実行し、その実行結果（画像データや音声データ等）を各端末装置１２に送信し、出力させることで各端末装置１２にゲームを提供する。なお、ゲームプログラム１４は、端末装置１２とサーバ装置１０により協働して実行されてもよい。
【００２１】
各端末装置１２は、プレイヤが所持する情報処理装置であって、サーバ装置１０から受信したゲームプログラム１４の実行結果を出力することで、プレイヤにゲームを提供する情報処理装置である。これらの端末装置１２としては、ビデオゲーム機や携帯ゲーム機、アーケードゲーム機、スマートフォン、タブレット、パーソナルコンピュータ等の様々なものが挙げられる。各端末装置１２は、通信ネットワークＮＴを介して、サーバ装置１０に接続可能とされている。なお、各端末装置１２は、サーバ装置１０からゲームプログラム１４をダウンロードして、自らゲームプログラム１４を実行することで、プレイヤにゲームを提供してもよい。
【００２２】
＜ハードウェア構成＞
図２は、サーバ装置１０のハードウェア構成の一例を概略的に示す図である。
【００２３】
図２に示すように、サーバ装置１０は、制御装置２０と、通信装置２６と、記憶装置２８と、を備える。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００２４】
制御装置２０では、ＣＰＵ２２がメモリ２４或いは記憶装置２８等に格納された所定のプログラムを実行することにより、各種の機能手段として機能する。この機能手段の詳細については後述する。
【００２５】
通信装置２６は、外部の装置と通信するための通信インターフェース等で構成される。
通信装置２６は、例えば、端末装置１２との間で各種の情報を送受信する。
【００２６】
記憶装置２８は、ハードディスク等で構成される。記憶装置２８は、ゲームプログラム１４を含む、制御装置２０における処理の実行に必要な各種プログラムや各種の情報、及び処理結果の情報を記憶する。
【００２７】
なお、サーバ装置１０は、専用又は汎用のサーバ・コンピュータなどの情報処理装置を用いて実現することができる。また、サーバ装置１０は、単一の情報処理装置より構成されるものであっても、通信ネットワークＮＴ上に分散した複数の情報処理装置より構成されるものであってもよい。また、図２は、サーバ装置１０が有する主要なハードウェア構成の一部を示しているに過ぎず、サーバ装置１０は、サーバが一般的に備える他の構成を備えることができる。また、複数の端末装置１２のハードウェア構成も、例えば操作手段や表示装置、音出力装置を備える他は、サーバ装置１０と同様の構成を備えることができる。
【００２８】
＜ゲーム概要＞
本実施形態に係るゲームには、コンテンツの一例としてのキャラクタを獲得することが可能な抽選ゲーム（ガチャ）や対戦ゲーム（クエスト）といったゲーム種目、及び、獲得したキャラクタを強化したり進化させたりすることが可能な合成ゲームが含まれている。
【００２９】
本実施形態に係る抽選ゲームは、プレイヤからの抽選ゲームを実行する指示（要求）に基づき、抽選対象であるキャラクタ群からランダムに選択された一又は複数のキャラクタをプレイヤに獲得させるゲームである。この抽選は、プレイヤによる対価の消費に基づいて実行される。対価としては、例えば、課金アイテム、課金アイテムを除くゲームアイテム（非課金アイテム、チケット、ゲームコイン等）が挙げられる。課金アイテムとは、ゲームに使用可能で、課金の支払いにより購入されたゲームアイテムである。非課金アイテムは、課金アイテムと同等の価値を有しており、主にゲーム内で付与されるゲームアイテムである。
【００３０】
また、本実施形態に係る抽選ゲームには、段階的な抽選ゲーム（所謂ステップアップガチャ）や開催期間が定められた抽選ゲーム（所謂イベントガチャ）が含まれている。この段階的な抽選ゲームでは、例えばプレイヤが抽選ゲームＣ１をプレイしなければ、抽選ゲームＣ２をプレイできないように設定されている。このような場合、抽選ゲームＣ１は抽選ゲームＣ２の１つ下位の抽選ゲームといい、抽選ゲームＣ２は抽選ゲームＣ１の１つ上位の抽選ゲームという。さらに、例えばプレイヤが抽選ゲームＣ２をプレイしなければ抽選ゲームＣ３をプレイできないように設定されている場合、抽選ゲームＣ１は抽選ゲームＣ３の２つ下位の抽選ゲームといい、抽選ゲームＣ３は抽選ゲームＣ１の２つ上位の抽選ゲームという。
【００３１】
本実施形態に係るクエストは、プレイヤからのクエストを実行する指示（要求）に基づき、プレイヤが所持する一又は複数のキャラクタにより構成されるデッキと、敵キャラクタを対戦させるゲームである。プレイヤは、デッキを構成するキャラクタ（デッキ内キャラクタ）に攻撃等を指示して対戦ゲームを行い、クエストをクリアした場合、プレイヤにはクリア報酬が付与される。クリア報酬としては、非課金アイテムや、ゲームコイン、クエストに登場した敵キャラクタ（進化素材キャラクタを含む）、プレイヤランクを上昇させるための経験値等が挙げられる。
【００３２】
また、本実施形態に係るクエストには、段階的なクエスト（所謂ノーマルクエスト）や開催期間が定められたクエスト（所謂イベントクエスト）が含まれている。この段階的なクエストでは、例えばプレイヤがクエストＱ１をクリアしなければ、クエストＱ２をプレイできないように設定されている。このような場合、クエストＱ１はクエストＱ２の１つ下位のクエストといい、クエストＱ２はクエストＱ１の１つ上位のクエストという。さらに、例えばプレイヤがクエストＱ２をクリアしなければクエストＱ３をプレイできないように設定されている場合、クエストＱ１はクエストＱ３の２つ下位のクエストといい、クエストＱ３はクエストＱ１の２つ上位のクエストという。
【００３３】
本実施形態に係る合成ゲームは、合成元キャラクタに素材キャラクタを合成するゲームである。合成ゲームでは、第一のキャラクタ合成として、合成元キャラクタに一又は複数の素材キャラクタを合成することにより、その合成元キャラクタの能力パラメータを変化させる強化合成を行う。この第一のキャラクタ合成では、合成元キャラクタと素材キャラクタが同系列キャラクタである場合、少なくとも合成元キャラクタのスキルレベルを変化（上昇）させる強化合成を行う。一方、第一のキャラクタ合成では、合成元キャラクタと素材キャラクタが同系列キャラクタでない場合、少なくとも合成元キャラクタのレベルを変化（上昇）させる強化合成を行い、スキルレベルは変化（上昇）させない。なお、キャラクタの同系列キャラクタとは、キャラクタとキャラクタＩＤが同じキャラクタや、キャラクタの進化前後のキャラクタをいい、例えば、キャラクタＫと、キャラクタＫを３回進化させたキャラクタＮは、同系列キャラクタ同士である。
【００３４】
また、本実施形態に係る合成ゲームでは、第二のキャラクタ合成として、合成元キャラクタの進化条件に記憶されている（関連付けられた）全ての進化素材キャラクタをプレイヤが所持していることを条件として、合成元キャラクタを異なるキャラクタ（進化後キャラクタ）に進化させる進化合成を行う。
【００３５】
また、本実施形態に係る合成ゲームでは、第一のキャラクタ合成又は第二のキャラクタ合成で素材（素材キャラクタ）として用いられたキャラクタをプレイヤの非所持とする。なお、例えば、プレイヤは、第一のキャラクタ合成を行う場合、強化合成メニューの選択、合成元キャラクタと素材キャラクタの指定、及び強化合成指示をして、合成元キャラクタに素材キャラクタを合成する。また、例えば、プレイヤは、第二のキャラクタ合成を行う場合、進化合成メニューの選択、合成元キャラクタの指定、及び進化合成指示をして、合成元キャラクタに関連付けられた全ての進化素材キャラクタを合成する。
【００３６】
＜機能手段＞
図３は、サーバ装置１０の機能手段の一例を概略的に示すブロック図である。
【００３７】
図３に示すように、サーバ装置１０は、記憶手段４０と、制御手段４２と、抽出手段４４と、特定手段４６等の機能手段を備える。記憶手段４０は、一又は複数の記憶装置２８で実現される。記憶手段４０以外の機能手段は、記憶装置２８等に格納されたゲームプログラム１４を制御装置２０が実行することにより実現される。なお、これら機能手段の全部又は一部は端末装置１２に設けられてもよい。また、サーバ装置１０は、記憶手段４０と接続可能であればよく、サーバ装置１０内部で接続されていても、サーバ装置１０外部で接続されていてもよい。言い換えれば、サーバ装置１０自体が記憶手段４０を備えていなくてもよい。この場合、記憶手段４０は別のサーバ装置等に設けられる。また、記憶手段４０は、或るデータを参照又は取得する要求があった場合に、記憶しているデータに係数や各種変数を演算して出力してもよいことは言うまでもない。
【００３８】
記憶手段４０は、プレイヤ情報４０Ａや、キャラクタ情報４０Ｂ、クエスト情報４０Ｃ、抽選ゲーム情報４０Ｄ等を記憶する機能を有する。
【００３９】
プレイヤ情報４０Ａは、プレイヤ毎に、当該プレイヤのプレイヤＩＤと紐づけて記憶されている。このプレイヤ情報４０Ａは、例えば、プレイヤの名前や年齢、プレイヤランク、所持キャラクタ情報、現在スタミナ値、所持アイテム情報、クエストクリア情報、抽選ゲームプレイ情報等を含む。所持キャラクタ情報は、プレイヤが所持しているキャラクタの情報として、各キャラクタの能力パラメータ（レベルやスキルレベル、ヒットポイント、攻撃力、防御力等）を含む。現在スタミナ値は、プレイヤがクエストを実行する際に消費される値である。例えば、この現在スタミナ値は、スタミナ回復アイテム（課金アイテム、非課金アイテム等）の使用や時間経過に応じて回復する。所持アイテム情報には、プレイヤが所持している課金アイテムや、非課金アイテム、ゲームコイン等のゲームアイテムの数を含む。クエストクリア情報には、これまでにプレイヤがクリアしたクエストのクエストＩＤが記憶されている。抽選ゲームプレイ情報には、これまでにプレイヤがプレイした抽選ゲームの抽選ゲームＩＤが記憶されている。
【００４０】
キャラクタ情報４０Ｂは、キャラクタ毎に、当該キャラクタのキャラクタＩＤと紐づけて記憶されている。キャラクタ情報４０Ｂは、例えば、キャラクタの名称、キャラクタ画像、レアリティ、能力パラメータの初期値と最大値、スキル、進化合成情報を含む。スキルは、キャラクタがゲーム中又はゲーム終了後に発動することができる能力である。本実施形態では、スキルは、例えばゲーム中にヒットポイントを回復させるアイテムを出現させる能力や、敵キャラクタからの攻撃によるダメージ量を軽減させる能力、ゲーム終了後に獲得できるキャラクタ数を上昇させる能力等であって、スキルレベルが高いほど発動確率や発動効果が高くなる。進化合成情報には、進化条件と進化後キャラクタのキャラクタＩＤが記憶されている。進化条件には、キャラクタ（合成元キャラクタ）に関連付けられた一又は複数の進化素材キャラクタのキャラクタＩＤが記憶されている。
【００４１】
なお、本実施形態における進化合成情報には、キャラクタ（合成元キャラクタ）の進化が可能である場合に、進化条件と進化後キャラクタのキャラクタＩＤが記憶されている。言い換えれば、進化合成情報は、キャラクタ（合成元キャラクタ）の進化が不可能である場合には、これらの情報は記憶されていない。また、進化合成情報には、キャラクタが複数の進化先を有する場合、それぞれの進化先に関連付けされた一又は複数の進化素材キャラクタのキャラクタＩＤ（進化条件）と、それぞれの進化後のキャラクタＩＤが記憶されている。
【００４２】
クエスト情報４０Ｃは、クエスト毎に、当該クエストのクエストＩＤと紐づけて記憶されている。クエスト情報４０Ｃは、クエストの名称、敵キャラクタ情報、スタミナ消費値、プレイ条件等を含む。敵キャラクタ情報は、クエストに登場する敵キャラクタそれぞれのキャラクタＩＤに対応付けて、能力パラメータ、ドロップ率、経験値、ゲームコイン数等を含む。ドロップ率は、クエストのクリア報酬として敵キャラクタをプレイヤに獲得させる確率であり、難易度が高いクエストほど高い確率が設定されている。経験値及びゲームコイン数は、クエストのクリア報酬としてプレイヤに獲得させる値である。スタミナ消費値は、プレイヤがクエストを実行する際、プレイヤの現在スタミナ値から消費される値であり、クエストの難易度が高いほど、高い値が設定されている。プレイ条件には、例えば１つ下位のクエストをクリアしたことや、開催期間（日時）などが記憶されている。
【００４３】
抽選ゲーム情報４０Ｄは、抽選ゲーム毎に、当該抽選ゲームの抽選ゲームＩＤと紐づけて記憶されている。抽選ゲーム情報４０Ｄは、抽選ゲームの名称、抽選対象情報、獲得キャラクタ数、対価、プレイ条件等を含む。抽選対象情報には、抽選ゲームの抽選対象であるキャラクタ（抽選対象キャラクタ）それぞれのキャラクタＩＤに対応付けて、抽選確率が記憶されている。獲得キャラクタ数は、抽選ゲームを１回実行した場合にプレイヤに獲得させるキャラクタ数が記憶されている。対価には、抽選ゲームの実行に必要な対価として、課金アイテムや非課金アイテム、ゲームコイン等のゲームアイテムの数が記憶されている。なお、獲得キャラクタ数が多い抽選ゲームや、レアリティの高いキャラクタが獲得しやすい抽選ゲームでは、高い対価が設定されている。プレイ条件には、例えば１つ下位の抽選ゲームをプレイしたことや、開催期間（日時）等が記憶されている。
【００４４】
制御手段４２は、端末装置１２におけるプレイヤの操作に応じてゲームを制御する機能を有する。本実施形態では、制御手段４２は、プレイヤからプレイするゲーム種目の選択を受け付けるための選択画面を端末装置１２に出力する。また、制御手段４２は、この選択画面において、所持キャラクタの進化に関連するゲーム種目を他のゲーム種目とは異なる形態で出力する。
【００４５】
また、例えば、制御手段４２は、この選択画面において、進化に関連するゲーム種目が所持キャラクタの進化に関連することを出力してもよい。
【００４６】
また、例えば、制御手段４２は、プレイヤからの所持キャラクタに対する指示に応じて、プレイヤが進化を希望するキャラクタを予め登録してもよい。
【００４７】
抽出手段４４は、所持キャラクタのうち、進化が可能なキャラクタ（以下、「進化可能キャラクタ」と称す。）を抽出する機能を有する。本実施形態では、抽出手段４４は、プレイヤの所持キャラクタのうち、当該所持キャラクタのキャラクタ情報４０Ｂに進化合成情報が記憶されているか否かに応じて、進化可能キャラクタを抽出する。
【００４８】
また、例えば、抽出手段４４は、プレイヤの所持キャラクタのうち、プレイヤが進化を希望するキャラクタとして予め登録したキャラクタや、ゲームの更新によって新たに進化が可能となったキャラクタを抽出してもよい。
【００４９】
特定手段４６は、プレイヤが選択可能なゲーム種目であって、キャラクタの進化に関連するゲーム種目を特定する機能を有する。例えば、特定手段４６は、進化可能キャラクタの進化に直接的に関連するゲーム種目として、クリアすることに応じて当該進化可能キャラクタの進化が可能となるクエストを特定してもよい。また、特定手段４６は、例えば、進化可能キャラクタの進化に間接的に関連するゲーム種目として、クリアすることに応じて当該進化可能キャラクタの進化が可能となるクエストよりも下位のクエストであって、プレイヤが未だクリアしていないクエストを特定してもよい。
【００５０】
また、例えば、特定手段４６は、進化可能キャラクタの進化に直接的に関連するゲーム種目として、プレイすることに応じて当該進化可能キャラクタの進化が可能となる抽選ゲームを特定してもよい。また、特定手段４６は、例えば、進化可能キャラクタの進化に間接的に関連するゲーム種目として、プレイすることに応じて当該進化可能キャラクタの進化が可能となる抽選ゲームよりも下位の抽選ゲームであって、プレイヤが未だプレイしていない抽選ゲームを特定してもよい。
【００５１】
ここで、キャラクタの進化に関連するゲーム種目（キャラクタの進化が可能となるクエストや抽選ゲーム）としては、当該キャラクタに関連付けされた一又は複数の進化素材キャラクタが獲得できるゲーム種目や、当該進化素材キャラクタのうちプレイヤが所持していない（所持キャラクタにおいて不足している）進化素材キャラクタが獲得できるゲーム種目等が挙げられる。
【００５２】
＜選択画面の出力に係る処理の流れ＞
（具体例１）
図４は、クエスト選択画面の出力に係る処理の流れの一例（具体例１）を示すフローチャートである。この処理は、例えばプレイヤが段階的なクエストのメニューを選択した場合に開始される。なお、以下のステップの順番及び内容は、適宜、変更することができる。
【００５３】
（ステップＳＰ１０）
制御手段４２は、プレイヤ情報４０Ａのクエストクリア情報とクエスト情報４０Ｃのプレイ条件を参照して、プレイヤが選択可能なクエスト（以下、「選択可能クエスト」と称す。）を選出する。具体的には、制御手段４２は、例えばクエストクリア情報にクエストＱ１〜クエストＱ８が記憶され、クエストＱ９のプレイ条件に１つ下位のクエスト（クエストＱ８）をクリアしたことが記憶されている場合、選択可能クエストとしてクエストＱ１〜クエストＱ９を選出する。そして、処理は、ステップＳＰ１２の処理に移行する。
【００５４】
（ステップＳＰ１２）
抽出手段４４は、プレイヤ情報４０Ａの所持キャラクタ情報とキャラクタ情報４０Ｂの進化合成情報を参照して、所持キャラクタのうち進化合成情報が記憶されているキャラクタを、進化が可能なキャラクタ（以下、「進化可能キャラクタ」と称す。）として抽出する。そして、処理は、ステップＳＰ１４の処理に移行する。
【００５５】
（ステップＳＰ１４）
特定手段４６は、プレイヤ情報４０Ａの所持キャラクタ情報とキャラクタ情報４０Ｂの進化合成情報を参照して、上記ステップＳＰ１２で抽出された進化可能キャラクタに関連付けされた一又は複数の進化素材キャラクタのうち、プレイヤが所持していない（不足している）進化素材キャラクタを選出する。そして、処理は、ステップＳＰ１６の処理に移行する。
【００５６】
（ステップＳＰ１６）
特定手段４６は、クリアすることに応じて進化可能キャラクタの進化が可能となるクエスト（以下、「進化可能クエスト」と称す。）を選出する。本実施形態では、特定手段４６は、クエスト情報４０Ｃの敵キャラクタ情報を参照して、上記ステップＳＰ１４で選出した不足している進化素材キャラクタが獲得できるクエストを選出する。そして、処理は、ステップＳＰ１８の処理に移行する。
【００５７】
（ステップＳＰ１８）
特定手段４６は、上記ステップＳＰ１６で選出された進化可能クエストのうち、上記ステップＳＰ１０で選出された選択可能クエストを、進化に直接的に関連するクエストとして特定する。続いて、特定手段４６は、クエスト情報４０Ｃのプレイ条件を参照して、進化可能クエストよりも下位のクエストであって、プレイヤが未だクリアしていない選択可能クエストを、進化に間接的に関連するクエストとして特定する。そして、処理は、ステップＳＰ２０の処理に移行する。なお、本実施形態において、プレイヤが未だクリアしていない選択可能クエスト（進化に間接的に関連するクエスト）とは、選択可能クエストのうち最上位のクエストのことである。
【００５８】
（ステップＳＰ２０）
制御手段４２は、プレイヤからプレイするクエストの選択を受け付けるためのクエスト選択画面を端末装置１２に出力（表示）する。本実施形態では、制御手段４２は、上記ステップＳＰ１０で選出された選択可能クエストの一覧を示すクエスト選択画面を端末装置１２に出力する。さらに、制御手段４２は、このクエスト選択画面において、上記ステップＳＰ１８で進化に直接的又は間接的に関連するクエストとして特定されたクエストを、進化に関連しないクエスト（他のクエスト）とは異なる形態で出力する。
【００５９】
図５は、クエスト選択画面１００の一例を示す図である。
【００６０】
図５に示すように、クエスト選択画面１００には、クエスト情報領域１０２と、詳細ボタン１０４と、が設けられている。クエスト情報領域１０２には、選択可能クエストそれぞれの名称や、クリア有無、スタミナ消費値などが配置されている。また、クエスト情報領域１０２では、進化に直接的に関連するクエストにマークＭ１、進化に間接的に関連するクエストにマークＭ２が付され、進化に関連しないクエスト（他のクエスト）とは異なる形態で表示される。なお、クエスト情報領域１０２における最上位のクエストには、マークＭ１およびマークＭ２の両方が付される場合もある。詳細ボタン１０４は、選択可能クエストそれぞれに対応付けられて配置されている。詳細ボタン１０４が押下されると、対応付けられたクエストが進化に直接的に関連するクエストであるか、進化に間接的に関連するクエストであるか、又は進化に関連しないクエストであるかに応じて、クエスト実行選択画面が表示される。
【００６１】
図６は、進化に直接的に関連するクエストのクエスト実行選択画面２００の一例を示す図である。
【００６２】
図６に示すように、クエスト実行選択画面２００には、クエスト詳細情報領域２０２と、実行ボタン２０４と、が設けられている。クエスト詳細情報領域２０２には、クエストで獲得できるキャラクタに加えて、所持している進化可能キャラクタ（キャラＸ）の進化に必要な（不足している）進化素材キャラクタが獲得できること（クエストが進化可能キャラクタの進化に直接的に関連すること）が示されている。実行ボタン２０４が押下されると、プレイヤはクエストを実行することができる。
【００６３】
図７は、間接的に進化に関連するクエストのクエスト実行選択画面３００の一例を示す図である。
【００６４】
図７に示すように、クエスト実行選択画面３００には、クエスト詳細情報領域３０２と、実行ボタン３０４と、が設けられている。クエスト詳細情報領域３０２には、クエストで獲得できるキャラクタに加えて、所持している進化可能キャラクタ（キャラＹ）の進化に必要な（不足している）進化素材キャラクタが上位のクエストで獲得できること（クエストが進化可能キャラクタの進化に間接的に関連すること）が示されている。
【００６５】
図８は、進化に関連しないクエストのクエスト実行選択画面４００の一例を示す図である。
【００６６】
図８に示すように、クエスト実行選択画面４００には、クエスト詳細情報領域４０２と、実行ボタン４０４と、が設けられている。クエスト詳細情報領域４０２には、クエストで獲得できるキャラクタが示されている。
【００６７】
図４に戻って、処理は、ステップＳＰ２２の処理に移行する。
【００６８】
（ステップＳＰ２２）
制御手段４２は、上記クエスト実行選択画面において、プレイヤによる実行ボタンの押下（選択指示）を受け付ける。そして、実行ボタンが押下されたことに応答して、処理は、ステップＳＰ２４の処理に移行する。
【００６９】
（ステップＳＰ２４）
制御手段４２は、実行ボタンが押下されたクエストを進行させる。本実施形態では、制御手段４２は、プレイヤから当該クエストで用いるデッキの選択を受け付け、プレイヤの現在スタミナ値を消費して、選択されたデッキ（デッキ内キャラクタ）と一又は複数の敵キャラクタが登場する対戦ゲームを進行させる。具体的には、制御手段４２は、デッキ内キャラクタそれぞれの能力パラメータと、敵キャラクタそれぞれの能力パラメータとを用いて、対戦ゲームを進行させる。そして、処理は、ステップＳＰ２６の処理に移行する。
【００７０】
（ステップＳＰ２６）
制御手段４２は、プレイヤがクエストをクリアしたことに基づき、プレイヤにクリア報酬を獲得させる。具体的には、制御手段４２は、クエスト情報４０Ｃの敵キャラクタ情報におけるドロップ率や経験値等を参照して、獲得させるキャラクタや経験値等を決定し、これらをプレイヤに獲得させる。そして、処理は、ステップＳＰ２８の処理に移行する。
【００７１】
（ステップＳＰ２８）
制御手段４２は、プレイヤ情報４０Ａのクエストクリア情報を更新する。本実施形態では、制御手段４２は、プレイヤがクリアしたクエストが未クリアのクエストであった場合に、クエストクリア情報にクエストＩＤを追加する更新を行う。そして、処理は、図４に示す一連の処理を終了する。
【００７２】
（具体例２）
上述した具体例１では、上記ステップＳＰ２０において、制御手段４２は、クエストに関する選択画面を進化に関連するクエストか否か等に応じて異なる形態で出力することを説明したが、抽選ゲームに関する選択画面を進化に関連する抽選ゲームか否か等に応じて異なる形態で出力することも可能である。
【００７３】
図９は、抽選ゲーム選択画面の出力に係る処理の流れの一例（具体例２）を示すフローチャートである。この処理は、例えばプレイヤが段階的な抽選ゲームのメニューを選択した場合に開始される。
【００７４】
（ステップＳＰ３０）
制御手段４２は、プレイヤ情報４０Ａの抽選ゲームプレイ情報と抽選ゲーム情報４０Ｄのプレイ条件を参照して、プレイヤが選択可能な抽選ゲーム（以下、「選択可能抽選ゲーム」と称す。）を選出する。具体的には、制御手段４２は、例えば抽選ゲームプレイ情報に抽選ゲームＣ１〜抽選ゲームＣ３が記憶され、抽選ゲームＣ４のプレイ条件に１つ下位の抽選ゲーム（抽選ゲームＣ３）をプレイしたことが記憶されている場合、選択可能抽選ゲームとして抽選ゲームＣ１〜抽選ゲームＣ４を選出する。そして、処理は、ステップＳＰ３２の処理に移行する。
【００７５】
（ステップＳＰ３２〜ステップＳＰ３４）
ステップＳＰ３２〜ステップＳＰ３４における処理は、上述したステップＳＰ１２〜ステップＳＰ１４における処理と同様であるので、説明を省略する。そして、処理は、ステップＳＰ３６の処理に移行する。
【００７６】
（ステップＳＰ３６）
特定手段４６は、プレイすることに応じて進化可能キャラクタの進化が可能となる抽選ゲーム（以下、「進化可能抽選ゲーム」と称す。）を選出する。本実施形態では、特定手段４６は、抽選ゲーム情報４０Ｄの抽選対象情報を参照して、上記ステップＳＰ３４で選出した不足している進化素材キャラクタが獲得できる抽選ゲームを選出する。そして、処理は、ステップＳＰ３８の処理に移行する。
【００７７】
（ステップＳＰ３８）
特定手段４６は、上記ステップＳＰ３６で選出された進化可能抽選ゲームのうち、上記ステップＳＰ３０で選出された選択可能抽選ゲームを、進化に直接的に関連する抽選ゲームとして特定する。続いて、特定手段４６は、抽選ゲーム情報４０Ｄのプレイ条件を参照して、進化可能抽選ゲームよりも下位の抽選ゲームであって、プレイヤが未だプレイしていない選択可能抽選ゲームを、進化に間接的に関連する抽選ゲームとして特定する。そして、処理は、ステップＳＰ４０の処理に移行する。なお、本実施形態において、プレイヤが未だプレイしていない選択可能抽選ゲーム（進化に間接的に関連する抽選ゲーム）とは、選択可能抽選ゲームのうち最上位の抽選ゲームのことである。
【００７８】
（ステップＳＰ４０）
制御手段４２は、プレイヤからプレイする抽選ゲームの選択を受け付けるための抽選ゲーム選択画面を端末装置１２に出力（表示）する。本実施形態では、制御手段４２は、上記ステップＳＰ３０で選出された選択可能抽選ゲームの一覧を示す抽選ゲーム選択画面を端末装置１２に出力する。さらに、制御手段４２は、この抽選ゲーム選択画面において、上記ステップＳＰ３８で進化に直接的又は間接的に関連する抽選ゲームとして特定された抽選ゲームを、進化に関連しない抽選ゲーム（他の抽選ゲーム）とは異なる形態で出力する。
【００７９】
図１０は、抽選ゲーム選択画面５００の一例を示す図である。
【００８０】
図１０に示すように、抽選ゲーム選択画面５００には、抽選ゲーム情報領域５０２と、詳細ボタン５０４と、が設けられている。抽選ゲーム情報領域５０２には、選択可能抽選ゲームそれぞれの名称や、プレイ有無、ゲームコインの消費値などが配置されている。また、抽選ゲーム情報領域５０２では、進化に直接的に関連する抽選ゲームにマークＭ１、進化に間接的に関連する抽選ゲームにマークＭ２が付され、進化に関連しない抽選ゲーム（他の抽選ゲーム）とは異なる形態で表示される。なお、抽選ゲーム情報領域５０２における最上位の抽選ゲームには、マークＭ１およびマークＭ２の両方が付される場合もある。詳細ボタン５０４は、選択可能抽選ゲームそれぞれに対応付けられて配置されている。詳細ボタン５０４が押下されると、対応付けられた抽選ゲームが進化に直接的に関連する抽選ゲームであるか、進化に間接的に関連する抽選ゲームであるか、又は進化に関連しない抽選ゲームであるかに応じて、抽選ゲーム実行選択画面が表示される。
【００８１】
図１１は、進化に直接的に関連する抽選ゲームの抽選ゲーム実行選択画面６００の一例を示す図である。
【００８２】
図１１に示すように、抽選ゲーム実行選択画面６００には、抽選ゲーム詳細情報領域６０２と、提供割合ボタン６０４と、実行ボタン６０６と、が設けられている。抽選ゲーム詳細情報領域６０２には、抽選ゲームで獲得できる目玉キャラクタに加えて、所持している進化可能キャラクタ（キャラＸ）の進化に必要な（不足している）進化素材キャラクタが獲得できること（抽選ゲームが進化可能キャラクタの進化に直接的に関連すること）が示されている。提供割合ボタン６０４が押下されると、抽選対象キャラクタそれぞれの抽選確率等を示す画面が表示される。実行ボタン６０６が押下されると、プレイヤは抽選ゲームを実行することができる。
【００８３】
図１２は、進化に間接的に関連する抽選ゲームの抽選ゲーム実行選択画面７００の一例を示す図である。
【００８４】
図１２に示すように、抽選ゲーム実行選択画面７００には、抽選ゲーム詳細情報領域７０２と、提供割合ボタン７０４と、実行ボタン７０６と、が設けられている。抽選ゲーム詳細情報領域７０２には、抽選ゲームで獲得できる目玉キャラクタに加えて、所持している進化可能キャラクタ（キャラＹ）の進化に必要な（不足している）進化素材キャラクタが上位の抽選ゲームで獲得できること（抽選ゲームが進化可能キャラクタの進化に間接的に関連すること）が示されている。
【００８５】
図１３は、進化に関連しない抽選ゲームの抽選ゲーム実行選択画面８００の一例を示す図である。
【００８６】
図１３に示すように、抽選ゲーム実行選択画面８００には、抽選ゲーム詳細情報領域８０２と、提供割合ボタン８０４と、実行ボタン８０６と、が設けられている。抽選ゲーム詳細情報領域８０２には、抽選ゲームで獲得できる目玉キャラクタが示されている。
【００８７】
図９に戻って、処理は、ステップＳＰ４２の処理に移行する。
【００８８】
（ステップＳＰ４２）
制御手段４２は、上記抽選ゲーム実行選択画面において、プレイヤによる実行ボタンの押下（選択指示）を受け付ける。そして、実行ボタンが押下されたことに応答して、処理は、ステップＳＰ４４の処理に移行する。
【００８９】
（ステップＳＰ４４）
制御手段４２は、実行ボタンが押下された抽選ゲームを実行させる。本実施形態では、制御手段４２は、プレイヤの所持するゲームコインを消費して、選択された抽選ゲームを行う。具体的には、制御手段４２は、抽選ゲーム情報４０Ｄの抽選対象情報における抽選対象キャラクタそれぞれの抽選確率に基づいて、プレイヤに獲得させるキャラクタをランダムに選択する。そして、処理は、ステップＳＰ４６の処理に移行する。
【００９０】
（ステップＳＰ４６）
制御手段４２は、プレイヤが抽選ゲームをプレイしたことに基づき、ステップＳＰ４４において抽選されたキャラクタをプレイヤに獲得させる。そして、処理は、ステップＳＰ４８の処理に移行する。
【００９１】
（ステップＳＰ４８）
制御手段４２は、プレイヤ情報４０Ａの抽選ゲームプレイ情報を更新する。本実施形態では、制御手段４２は、プレイヤがプレイした抽選ゲームが未プレイの抽選ゲームであった場合に、抽選ゲームプレイ情報に抽選ゲームＩＤを追加する更新を行う。そして、処理は、図９に示す一連の処理を終了する。
【００９２】
（具体例３）
上述した具体例では、上記ステップＳＰ１２及び上記ステップＳＰ３２において、プレイヤの所持キャラクタから進化可能キャラクタを抽出することを例に挙げて説明したが、抽出手段４４は、プレイヤが進化を希望するキャラクタとして予め登録した進化可能キャラクタのみを抽出してもよい。
【００９３】
ここで、進化を希望するキャラクタを予め登録する例としては、プレイヤが進化を希望する所持キャラクタを登録するメニューを選択した場合、制御手段４２は、抽出手段４４によって所持キャラクタから抽出された進化可能キャラクタの一覧を端末装置１２に出力し、当該出力された進化可能キャラクタに対するプレイヤからの指示に応じて登録を行うことが挙げられる。なお、登録されたキャラクタは、プレイヤ情報４０Ａに記憶されることが好ましい。
【００９４】
また、制御手段４２は、例えば、プレイヤからの指示に応じて、進化を希望するキャラクタとして、進化が不可能な所持キャラクタを登録してもよい。すなわち、プレイヤは、将来のゲームの更新によって所持キャラクタの進化が可能になることを見越して、進化を希望する所持キャラクタを登録してもよい。
【００９５】
また、上記ステップＳＰ１２又は上記ステップＳＰ３２において、抽出手段４４は、例えば、プレイヤがクエストで用いるデッキ内キャラクタとして予め登録したキャラクタの中から、キャラクタ情報４０Ｂの進化合成情報が記憶されているキャラクタ（進化可能キャラクタ）を抽出してもよい。
【００９６】
（具体例４）
また、上記ステップＳＰ１２及び上記ステップＳＰ３２において、抽出手段４４は、例えば、プレイヤの所持キャラクタのうち、ゲームの更新によって新たに進化が可能となった進化可能キャラクタを抽出してもよい。ここで、ゲームの更新とは、ゲームのバージョンアップやアップデートのことであって、キャラクタ情報４０Ｂの進化合成情報において、新たに進化条件と進化後キャラクタのキャラクタＩＤが記憶されることをいう。例えば、抽出手段４４は、直近又は所定期間内（例えば１ヶ月以内）のゲームの更新によって新たに進化が可能となった進化可能キャラクタ（所持キャラクタ）を抽出する。
【００９７】
以上、本実施形態では、プレイヤが所持する所持コンテンツを記憶する記憶手段４０と、所持コンテンツのうち、進化が可能な進化可能コンテンツを抽出する抽出手段４４と、プレイヤが選択可能なゲーム種目であって、進化可能コンテンツの進化に関連するゲーム種目を特定する特定手段４６と、プレイヤからプレイするゲーム種目の選択を受け付けるための選択画面を出力する制御手段４２と、を備え、制御手段４２は、選択画面において、特定されたゲーム種目を他のゲーム種目とは異なる形態で出力する。
【００９８】
この構成によれば、制御手段４２は、ゲーム種目を選択する選択画面において、進化可能コンテンツの進化に関連するゲーム種目を異なる形態で表示するので、プレイヤはプレイすべきゲームを迷わなくなる。このため、プレイヤのゲーム種目をプレイするモチベーションを高めることができる。
【００９９】
また、本実施形態では、制御手段４２は、選択画面において、特定されたゲーム種目が進化可能コンテンツの進化に関連することを出力してもよい。
【０１００】
この構成によれば、制御手段４２は、ゲーム種目を選択する選択画面において、進化可能コンテンツの進化に関連することを表示するので、プレイヤの進化可能コンテンツを進化させるモチベーションを高めることができる。
【０１０１】
また、本実施形態では、制御手段４２は、プレイヤからの進化可能コンテンツに対する指示に応じて、当該プレイヤが進化を希望する進化可能コンテンツを予め登録し、抽出手段４４は、登録された進化可能コンテンツを抽出してもよい。
【０１０２】
この構成によれば、抽出手段４４は、プレイヤによって予め登録された進化可能コンテンツを抽出するので、プレイヤが進化を希望する進化可能コンテンツの進化に関連するゲーム種目だけが異なる形態で表示される。このため、プレイヤは予め登録した進化可能コンテンツの進化に関連するゲーム種目のみを知ることができ、プレイヤに煩わしさを感じさせることがなくなる。
【０１０３】
また、本実施形態では、抽出手段４４は、所持コンテンツのうち、ゲームの更新によって新たに進化が可能となった進化可能コンテンツを抽出してもよい。
【０１０４】
この構成によれば、プレイヤに対して、新たに進化先が追加された進化可能コンテンツ（所持コンテンツ）を知らせることができ、当該進化可能コンテンツを進化させるモチベーションを高めることができる。
【０１０５】
また、本実施形態では、特定手段４６は、進化可能コンテンツの進化に関連するゲーム種目として、進化可能コンテンツに関連付けされた素材コンテンツのうち、所持コンテンツにおいて不足している素材コンテンツが獲得できるゲーム種目を特定してもよい。
【０１０６】
この構成によれば、プレイヤは所持していない素材コンテンツが獲得できるゲーム種目のみを知ることができ、プレイヤに煩わしさを感じさせることがなくなる。
【０１０７】
また、本実施形態では、特定手段４６は、進化可能コンテンツの進化に関連するゲーム種目として、クリアすることに応じて当該進化可能コンテンツの進化が可能となるクエストよりも下位のクエストであって、プレイヤが未だクリアしていないクエストを特定してもよい。
【０１０８】
この構成によれば、プレイヤは未だクリアしていないクエストのうち、どのクエストをクリアすれば進化可能コンテンツの進化が可能になるのかを知ることができ、クエストをプレイするモチベーションを高めることができる。
【０１０９】
また、本実施形態では、特定手段４６は、進化可能コンテンツの進化に関連するゲーム種目として、プレイすることに応じて当該進化可能コンテンツの進化が可能となる抽選ゲームよりも下位の抽選ゲームであって、プレイヤが未だプレイしていない抽選ゲームを特定してもよい。
【０１１０】
この構成によれば、プレイヤは未だプレイしていない抽選ゲームのうち、どの抽選ゲームをプレイすれば進化可能コンテンツの進化が可能になるのかを知ることができ、抽選ゲームをプレイするモチベーションを高めることができる。
【０１１１】
＜変形例＞
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【０１１２】
例えば、上記実施形態では、キャラクタ情報４０Ｂの進化合成情報における進化条件には、キャラクタ（合成元キャラクタ）に関連付けられた一又は複数の進化素材キャラクタのキャラクタＩＤが記憶されていることを説明したが、プレイすべき抽選ゲームの抽選ゲームＩＤや、クリアすべきクエストのクエストＩＤ、キャラクタのレベルが最大値になっていること等が記憶されていてもよく、これらの一部又は全部が組み合わされていてもよい。この場合、特定手段４６は、クリアすることが或る所持キャラクタの進化条件となっているクエストや、プレイすることが或る所持キャラクタの進化条件になっている抽選ゲームを、進化に関連するゲーム種目として特定してもよい。
【０１１３】
また、上記実施形態では、クエスト情報４０Ｃのプレイ条件には、１つ下位のクエストをクリアしたこと等が記憶されていることを説明したが、１つ下位のクエストを所定ランク以上の評価（例えばＡランク以上）でクリアしたことが記憶されていてもよい。
【０１１４】
また、上記実施形態では、抽選ゲーム情報４０Ｄにおけるプレイ条件には、１つ下位の抽選ゲームをプレイしたこと等が記憶されていることを説明したが、下位の抽選ゲームで特定キャラクタが抽選されたことが記憶されていてもよい。
【０１１５】
また、上記実施形態では、特定手段４６は、クエスト情報４０Ｃの敵キャラクタ情報を参照して、不足している進化素材キャラクタが獲得できるクエストを特定することを説明したが、敵キャラクタ情報のドロップ率を参照して、当該ドロップ率が高いクエストを特定してもよい。同様に、特定手段４６は、抽選ゲーム情報４０Ｄの抽選対象情報を参照して、不足している進化素材キャラクタが獲得できる抽選ゲームを特定することを説明したが、抽選対象情報の抽選確率を参照して、当該抽選確率が高い抽選ゲームを特定してもよい。
【０１１６】
また、上記実施形態では、制御手段４２は、ゲーム種目の一覧を示す選択画面において、進化に関連するゲーム種目を他のゲーム種目とは異なる形態で出力することを説明したが、ゲーム種目の詳細を示す実行選択画面のみにおいて、進化に関連するゲーム種目であることを示してもよい。
【０１１７】
また、上記実施形態では、特定手段４６は、段階的なゲーム種目から進化可能キャラクタの進化に関連するゲーム種目を特定することを説明したが、非段階的なゲーム種目（開催期間が定められたゲーム種目や、プレイ条件が設定されていないゲーム種目など）を特定してもよい。この場合、制御手段４２は、非段階的なゲーム種目をプレイヤが選択する選択画面において、当該特定されたゲーム種目を他のゲーム種目とは異なる形態で出力する。
【０１１８】
また、上記実施形態では、上記ステップＳＰ１８において、特定手段４６は、進化可能クエストよりも下位の選択可能クエストを、進化に間接的に関連するクエストとして特定することを説明したが、当該選択可能クエストが当該進化可能クエストよりも所定数以上（例えば３以上）下位のクエストである場合、当該選択可能クエストを進化に関連しないクエストとしてもよい。
同様に、上記実施形態では、上記ステップＳＰ３８において、特定手段４６は、進化可能抽選ゲームよりも下位の選択可能抽選ゲームを、進化に間接的に関連する抽選ゲームとして特定することを説明したが、当該選択可能抽選ゲームが当該進化可能抽選ゲームよりも所定数以上（例えば３以上）下位の抽選ゲームである場合、当該選択可能抽選ゲームを進化に関連しない抽選ゲームとしてもよい。
【０１１９】
また、上記実施形態では、制御手段４２は、段階的なクエストにおいて、プレイヤがクリアしたことがあるクエストをプレイヤが選択可能なクエストとしたが、クリアしたことがあるクエストは選択不可能としてもよい。
同様に、上記実施形態では、制御手段４２は、段階的な抽選ゲームにおいて、プレイヤがプレイしたことがある抽選ゲームをプレイヤが選択可能な抽選ゲームとしたが、プレイしたことがある抽選ゲームは選択不可能としてもよい。
【０１２０】
また、上記実施形態では、抽出手段４４は、プレイヤの所持キャラクタのうち、進化が可能な進化可能キャラクタを抽出することを説明したが、スキルレベルなどの能力パラメータが上昇するキャラクタを抽出してもよい。例えば、抽出手段４４は、プレイヤ情報４０Ａの所持キャラクタ情報とキャラクタ情報４０Ｂのスキルレベルを参照して、所持キャラクタのうち、スキルレベルが最大値に達していないキャラクタを、スキルレベルが上昇可能なキャラクタとして抽出する。続いて、特定手段４６は、クエスト情報４０Ｃの敵キャラクタ情報や抽選ゲーム情報４０Ｄの抽選対象情報を参照して、スキルレベルが上昇可能なキャラクタの同系列キャラクタが獲得できるゲーム種目を特定する。そして、制御手段４２は、ゲーム種目の選択画面において、当該特定されたゲーム種目をスキルレベルの上昇に関連するゲーム種目であるとして、他のゲーム種目とは異なる形態で出力する。
【０１２１】
また、上記実施形態では、コンテンツの一例として主にキャラクタを用いる場合を説明したが、アイテム（武器や防具を含む）や、カード、アバター、コイン、ポイント等でもよい。
【符号の説明】
【０１２２】
１０…サーバ装置（情報処理装置）、１２…端末装置（コンピュータ）、１４…ゲームプログラム（プログラム）、４０…記憶手段、４２…制御手段、４４…抽出手段、４６…特定手段
【図１】
2020116388.tif 000003
【図２】
2020116388.tif 000004
【図３】
2020116388.tif 000005
【図４】
2020116388.tif 000006
【図５】
2020116388.tif 000007
【図６】
2020116388.tif 000008
【図７】
2020116388.tif 000009
【図８】
2020116388.tif 000010
【図９】
2020116388.tif 000011
【図１０】
2020116388.tif 000012
【図１１】
2020116388.tif 000013
【図１２】
2020116388.tif 000014
【図１３】
2020116388.tif 000015
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
プレイヤが所持しているキャラクタの進化に必要な素材である進化アイテムを消費して、当該キャラクタを進化させる情報処理装置であって、
前記プレイヤがプレイ可能なクエストであって、当該プレイヤにおいて所持数が所定の数未満である所定の進化アイテムを獲得できるクエストを特定する特定手段と、
前記特定されたクエストが前記所定の進化アイテムを獲得できるクエストであることを示す情報を含む、クエストの選択画面を表示する制御手段と、
を備える情報処理装置。
【請求項２】
プレイヤが所持しているキャラクタの進化に必要な素材である進化アイテムを消費して、当該キャラクタを進化させる情報処理装置であって、
前記プレイヤがプレイ可能なクエストであって、当該プレイヤが所持していない所定の進化アイテムを獲得できるクエストを特定する特定手段と、
前記特定されたクエストが前記所定の進化アイテムを獲得できるクエストであることを示す情報を含む、クエストの選択画面を表示する制御手段と、
を備える情報処理装置。
【請求項３】
プレイヤが所持しているキャラクタの進化に必要な素材である進化アイテムを消費して、当該キャラクタを進化させる情報処理装置であって、
前記プレイヤがプレイ可能なクエストであって、当該プレイヤが所持している所定のキャラクタの進化において不足している所定の進化アイテムを獲得できるクエストを特定する特定手段と、
前記特定されたクエストが前記所定の進化アイテムを獲得できるクエストであることを示す情報を含む、クエストの選択画面を表示する制御手段と、
を備える情報処理装置。
【請求項４】
前記制御手段は、前記クエストの選択画面において、前記特定されたクエストと他のクエストを区別して表示する、
請求項１乃至３の何れか１項に記載の情報処理装置。
【請求項５】
前記特定手段は、前記クエストの選択画面の表示が要求された場合、前記所定の進化アイテムを獲得できるクエストを特定する、
請求項１乃至４の何れか１項に記載の情報処理装置。
【請求項６】
プレイヤが所持しているキャラクタの進化に必要な素材である進化アイテムを消費して、当該キャラクタを進化させるゲームのプログラムであって、
コンピュータを、
前記プレイヤがプレイ可能なクエストであって、当該プレイヤにおいて所持数が所定の数未満である所定の進化アイテムを獲得できるクエストを特定する特定手段、
前記特定されたクエストが前記所定の進化アイテムを獲得できるクエストであることを示す情報を含む、クエストの選択画面を表示する制御手段、
として機能させるためのプログラム。
【請求項７】
プレイヤが所持しているキャラクタの進化に必要な素材である進化アイテムを消費して、当該キャラクタを進化させるゲームのプログラムであって、
コンピュータを、
前記プレイヤがプレイ可能なクエストであって、当該プレイヤが所持していない所定の進化アイテムを獲得できるクエストを特定する特定手段、
前記特定されたクエストが前記所定の進化アイテムを獲得できるクエストであることを示す情報を含む、クエストの選択画面を表示する制御手段、
として機能させるためのプログラム。
【請求項８】
プレイヤが所持しているキャラクタの進化に必要な素材である進化アイテムを消費して、当該キャラクタを進化させるゲームのプログラムであって、
コンピュータを、
前記プレイヤがプレイ可能なクエストであって、当該プレイヤが所持している所定のキャラクタの進化において不足している所定の進化アイテムを獲得できるクエストを特定する特定手段、
前記特定されたクエストが前記所定の進化アイテムを獲得できるクエストであることを示す情報を含む、クエストの選択画面を表示する制御手段、
として機能させるためのプログラム。